(57)【要約】【課題】背上げ時のマットレスの屈曲性が向上し、ベッド使用者に対する不快な応力の印加を防止したギャッチベッド用マットレスを提供する。【解決手段】マットレスのクッション性を有するマットレス本体を被包するカバー４０に、伸張部５０が設けられている。この伸張部５０は、カバー４０の下半部４０ｂの一部に、マットレス本体１の幅方向にわたって、ギャザー加工が施されたものである。この伸張部５０は、マットレス本体１が屈曲する屈曲部を含む部分であり、伸張部５０の領域は、マットレス長手方向について、５００ｍｍ以下の領域である。この領域の長さをＬとすると、伸張部５０におけるギャザー加工は、Ｌ＋７０乃至２００ｍｍの長さのカバー素材を、Ｌの長さになるように、ひだ付き加工したものである。【選択図】図１
2014212850.tif 000002
【特許請求の範囲】
【請求項１】
ベッド使用者の背を支持する背ボトム、腰を支持する腰ボトム及び大腿部を支持する脚部ボトムを少なくとも備え、背ボトムが腰ボトムに対して揺動するギャッチベッドに使用されるギャッチベッド用マットレスにおいて、
クッション性を有し、ベッド使用者の体重を支えるマットレス本体と、
このマットレス本体を被包するカバーと、
を有し、
前記カバーは、前記背ボトムの背上げ及び背下げ動作時に前記マットレス本体が屈曲する屈曲部を含む一部にて、ギャザー加工により、下面のみ又は下面及び側面にマットレス長手方向の余長が設けられていることを特徴とするギャッチベッド用マットレス。
【請求項２】
前記ギャザー加工の部分は、マットレスの長手方向について、長さＬが５００ｍｍ以下の領域に形成され、Ｌ＋７５乃至２００ｍｍ分の長さのカバー素材がＬの領域にひだ付き加工されていることを特徴とする請求項１に記載のギャッチベッド用マットレス。
【発明の詳細な説明】
【技術分野】
【０００１】
本発明は、ギャッチベッドの背上げ動作時に、ベッドの背ボトムの背上げ動作に対して、屈曲性を向上させたギャッチベッド用マットレスに関する。
【背景技術】
【０００２】
ギャッチベッドのボトム上には、マットレスが載置されており、患者等のベッド使用者は、マットレス上に横臥する。そして、ギャッチベッドにおいては、ボトムが、使用者の背の部分に対応する背ボトムと、腰の部分に対応する腰ボトムと、大腿部の部分に対応する膝ボトムと、足の部分に対応する足ボトムとに分割されており、通常、腰ボトムは固定されているが、背ボトムは、腰ボトム側の端部を回動中心として、揺動するようになっている。この背ボトムが上昇し、背上げ動作がなされると、マットレス上の使用者の上半身が起こされ、使用者は、読書又はテレビジョン鑑賞等がしやすい体勢になる。
【０００３】
一方、ギャッチベッドのボトム上に載置されるマットレスは、ウレタン製等のマットレス本体を、布製のカバーで被包して構成されている。このギャッチベッドにおいては、背ボトムが腰ボトムに対して揺動して、上昇する際に（背上げ時に）、マットレスも背ボトムと腰ボトムとの境界の部分で、鋭角で又は滑らかに屈曲する必要がある。このマットレスが屈曲する際、マットレス本体には、その上面側で縮む方向の応力が印加され、その下面側で伸びる方向の応力が印加される。そこで、背上げ時におけるマットレス本体の上面側の長さと、下面側の長さとの相対差による屈曲性の劣化を解消するために、マットレス本体（芯材）に、蛇腹状の伸縮部を埋め込み、この伸縮部が伸縮することにより、マットレス本体の屈曲性を向上させたマットレスが開示されている（特許文献１）。
【先行技術文献】
【特許文献】
【０００４】
【特許文献１】特許第３５６２９４０号公報
【発明の概要】
【発明が解決しようとする課題】
【０００５】
しかしながら、上述の従来のマットレスは、マットレス本体の屈曲性は向上したものの、マットレスとしてみた場合には、未だ、屈曲性に問題がある。ギャッチベッド用のマットレスのカバーは、背上げ時に屈曲部分の外周側（下面側）に伸びる応力が作用するため、一般的に、ニット等の伸縮性が優れた生地が使用されている。しかしながら、カバー素材として、伸縮性が優れた素材を使用しても、幅が１ｍにも及ぶマットレス下面のカバー部分を十分に伸ばすことは、大きな負荷がかかり、マットレス本体の下面の伸びを阻害する要因になる。即ち、カバー素材として、伸縮性が優れた素材のものを使用しても、背上げ時におけるマットレスの屈曲性を阻害している。
【０００６】
このため、背上げ時に、マットレスの上面側にて、マットレス（マットレス本体及びカバー）が縮みやすく、マットレス上に横臥するベッド使用者（患者）の身体の下面が伸びやすいために、背上げによるマットレス上面と身体下面との間の相対的な位置変動差が大きくなりやすい。これにより、マットレス使用者には、皮膚への剪断力が作用することになり、ベッド使用者は、背上げ時に不快な応力を受けることになる。
【０００７】
また、カバーの生地の伸縮性を高めようとすると、洗濯による寸法変化が生じやすくなり、伸びた状態で縮まらなくなる虞が高い。引っ張ったときに抵抗なく伸びる生地素材ほど、このような問題点が大きい。
【０００８】
本発明はかかる問題点に鑑みてなされたものであって、背上げ時のマットレスの屈曲性が向上し、ベッド使用者に対する不快な応力の印加を防止したギャッチベッド用マットレスを提供することを目的とする。
【課題を解決するための手段】
【０００９】
本発明に係るギャッチベッド用マットレスは、ベッド使用者の背を支持する背ボトム、腰を支持する腰ボトム及び大腿部を支持する脚部ボトムを少なくとも備え、背ボトムが腰ボトムに対して揺動するギャッチベッドに使用されるギャッチベッド用マットレスにおいて、
クッション性を有し、ベッド使用者の体重を支えるマットレス本体と、
このマットレス本体を被包するカバーと、
を有し、
前記カバーは、前記背ボトムの背上げ及び背下げ動作時に前記マットレス本体が屈曲する屈曲部を含む一部にて、ギャザー加工により、下面のみ又は下面及び側面にマットレス長手方向の余長が設けられていることを特徴とする。
【００１０】
このギャッチベッド用マットレスにおいて、前記ギャザー加工の部分は、平坦な状態のマットレスの長手方向について、長さＬが５００ｍｍ以下の領域に形成され、Ｌ＋７５乃至２００ｍｍ分の長さのカバー素材がＬの領域にひだ付き加工されていることが好ましい。
【発明の効果】
【００１１】
本発明によれば、マットレスのカバーにおける屈曲部を含む部分の下半部に、ギャザー加工が施されているので、背上げ時にマットレス本体が屈曲しようとしたときに、ギャザー加工の部分がマットレス長手方向に拡がり、カバーにおける屈曲部下面がマットレス長手方向に伸びた状態となる。このため、カバーによる屈曲性阻害の拘束がなくなり、マットレス本体の屈曲性が向上し、マットレスの上面の縮みが防止される。これにより、マットレス上のベッド使用者の身体の下面と、マットレス上面との間の位置の相対的差が可及的に小さくなり、ベッド使用者の皮膚に剪断力が作用することもなく、ベッド使用者が背上げ時に不快感を感じることもない。
【図面の簡単な説明】
【００１２】
【図１】（ａ）は本発明の実施形態に係るマットレスの上面を示す平面図、（ｂ）はその正面図である。
【図２】本発明の実施形態に係るマットレスのマットレス本体を示す斜視図である。
【図３】同じくマットレス本体の正面図である。
【図４】本発明の実施形態の動作を示す斜視図である。
【図５】（ａ）は本実施形態で使用するマットレス本体の変形例を示す斜視図、（ｂ）はその正面図である。
【図６】（ａ）は本実施形態で使用するマットレス本体の他の変形例を示す斜視図、（ｂ）はその正面図である。
【発明を実施するための形態】
【００１３】
以下、本発明の実施形態に係るギャッチベッド用マットレスについて添付の図面を参照して説明する。図１乃至図３は本発明の実施形態に係るマットレスを示す図であり、図１は、マットレス本体がカバー４０に被包されたマットレスを示し、図２及び図３はマットレス本体を示す。
【００１４】
ギャッチベッドは、通常、ベッド長手方向に、背ボトム、腰ボトム、膝ボトム及び足ボトムが配置され、腰ボトムが固定されており、背ボトムが腰ボトムに対して腰ボトム側の端部を揺動中心として揺動する。なお、この膝ボトム及び足ボトムは、脚ボトムを構成し、夫々、別個、独立して揺動することができる場合が多いが、脚ボトムは、膝ボトム及び足ボトムに分割されておらず、一体的に固定されたものである場合もある。背ボトムはベッド使用者の背を支持し、腰ボトムは腰を支持する。よって、ベッド使用者の大腿部は、膝ボトム又は脚ボトムに支持される。
【００１５】
マットレス本体１は、ベッドの全面に対応する幅及び長さを有する第１部材２と、この第１部材２の頭部側及び足部側の部分の下面に接合された第２部材３，４と、第１部材２の腰部の部分の上面に接合された第３部材６と、平面視で第１部材２における第３部材６と足部側第２部材４との間の部分における下面に接合された第４部材５とから構成される。第１部材２と第３部材６の上面はほぼ面一であり、第２部材３，４及び第４部材５の下面と、第１部材２における腰部の部分の下面とは、ほぼ面一である。従って、マットレス本体１は全体で板状をなす。第１部材２は、例えば、硬さが２００Ｎ（４０％圧縮）以上のポリエステル硬綿製であり、第２部材３，４及び第３部材６は、例えば、硬さが５０乃至１３０Ｎ（４０％圧縮）のウレタン製である。第４部材５は、同様に、ウレタン製であるが、硬さが１５０乃至５００Ｎ（４０％圧縮）であり、第２部材３，４及び第３部材６より高硬度である。ポリエステル硬綿製の第１部材２は、マットレス本体１の基本的な構造材となり、ベッドの長手方向の一部又は全域に延びる基材である。また、腰部に相当する第３部材６は若干軟らかい素材で形成されている。一方、大腿部に相当する第４部材５は硬い素材で形成されており、腰部の第３部材６よりも硬い素材で形成された補助材である。なお、この補助材、即ち第４部材５の断面形状は、図２に示すように、腰部側の部分がくさび形になっており、足部側の部分は均一な厚さの平板状をなす。この補助材は、ベッド長手方向に１００ｍｍ以上の長さを有し、幅は１５０ｍｍ以上であることが好ましい。
【００１６】
図１は、本実施形態のカバー４０を示す上面図である。この図３に示すように、カバー４０は、袋状をなし、マットレス本体１を内部に収納して、マットレス本体１を被包する。カバー４０のベッド長手方向の端部の辺と、それに続く両側の辺の一部に、ファスナー４１が設けられていて、このファスナー４１を開閉することにより、マットレス本体１を内部に収納する。このファスナー４１は、ベッドの足側に設けられている。カバー４０の両側部には、取っ手４２が２対設けられていて、マットレスを運搬する際の便宜に供するようになっている。例えば、カバー４０は、その上半部４０ａがニット製であり、下半部４０ｂが織物製であって、これらの上半部４０ａ及び下半部４０ｂをカバー４０の側部で接合することにより、袋状にしている。なお、カバー４０の上面には、製品ロゴ等をシルク印刷により表示することができる。
【００１７】
而して、本実施形態においては、カバー４０の下半部４０ｂの一部に、マットレス本体１の幅方向にわたって、ギャザー加工が施されて、伸張部５０が形成されている。この伸張部５０は、背ボトムが腰ボトムに対して揺動するときに、背ボトムと腰ボトムとの境界において、マットレス本体１が屈曲する屈曲部を含む部分である。そして、この屈曲部を含む部分に設けられた伸張部５０の領域は、マットレス長手方向について、５００ｍｍ以下の領域である。この領域の長さをＬとすると、伸張部５０におけるギャザー加工は、Ｌ＋７０乃至２００ｍｍの長さのカバー素材を、Ｌの長さになるように、ひだ付き加工したものである。
【００１８】
即ち、ギャザー加工は、洋服等において、プリーツ加工又はタック加工ともいわれているが、生地にひだを付けて縫製したものである。即ち、カバー４０の下半部４０ｂとして、上半部４０ａよりも、７５乃至２００ｍｍ、例えば１００ｍｍ長いものを用意する。この素材段階で、下半部４０ｂが上半部４０ａより長い寸法をΔＬとする。そして、長さがＬの伸張部５０においては、下半部４０ｂの側部の上端部を、ひだ状に折りたたんでいき、Ｌ＋ΔＬの部分をＬの長さに折りたたむ。その後、上半部４０ａと下半部４０ｂとをそれらの側面の下端部及び上端部で接合又は縫製すると、下半部４０ｂにおいては、長さがＬの伸張部５０の領域に、Ｌ＋ΔＬの長さに相当する部分が、ひだ状に集まる。
【００１９】
なお、伸張部５０は、背ボトムの背上げ及び背下げ動作時にマットレス本体１が屈曲する屈曲部を含むカバー４０一部に設けられたものであり、ギャザー加工により、カバー４０の下面のみ又は下面及び側面にマットレス長手方向の余長を設けるものである。上記実施形態では、伸張部５０は、カバー４０の下半部に設けられている。しかし、カバー４０の下面を含む位置にギャザー加工をすれば、マットレス長手方向に余長を設けることができるので、この伸張部５０は、カバー４０の下面のみ又は下面及び側面に設ければ良い。側面については、側面の全域でも良いし、側面の下面から１／２又は１／３の領域等、側面の一部であっても良い。但し、カバーの上面には、ギャザー加工が出現しないようにする必要がある。カバーの上面にギャザー加工が現れると、カバーの上面にシワが生じ、寝心地を損なう。ギャザー加工の方向は、例えば、上記実施形態のようにマットレス幅方向であり、マットレス長手方向に余長が生じるようにすることが必要である。
【００２０】
上述のごとく構成された本実施形態のマットレスにおいては、ギャッチベッドのボトム上にマットレスを載置し、背ボトムを背上げすると、図４に示すように、揺動する背ボトムと固定された腰ボトムとの間の領域において、マットレス本体１は屈曲し、カバー４０も変形する。この場合に、カバー４０には伸張部５０が形成されているので、背上げによりカバー４０の下半部４０ｂが引っ張られたときに、この伸張部５０のギャザー加工が伸びて、カバー４０の下半部４０ｂの長さが上半部４０ａに対して長くなる。即ち、伸張部５０は折りたたまれていたひだが開放されて、長寸の長寸部５０ｂとなる。このとき、カバー４０の上半部４０ａの屈曲部５０ａは、その長さが若干縮小するものの、下半部４０ｂが伸張部５０ｂで伸張するので、下半部４０ｂにより大きな拘束は受けず、上半部４０ａの屈曲部５０ａの縮小寸法は極めて小さい。よって、マットレス上のベッド使用者の身体の下面とマットレス上面との間の位置変動は小さく、身体の皮膚に剪断力が生じることはない。また、カバー４０は、背上げ時に、下半部４０ｂが十分な長さをもって伸張するので、カバー４０がマットレス本体１を長手方向に拘束してしまい、マットレス本体１の屈曲を阻害してしまうことが防止される。
【００２１】
なお、マットレス本体１における背ボトムの屈曲部の近傍に、スリット等による切れ込みを設けると、マットレス本体１自体の屈曲性を向上させることができる。これにより、背上げ時に、マットレス本体１の屈曲性が向上すると共に、カバー４０による拘束（マットレス本体１の屈曲を阻害する作用）がないため、マットレスの屈曲性が更に向上する。
【００２２】
なお、本実施形態のマットレスにおいては、補助材（第４部材５）が１５０乃至５００Ｎと硬い素材で形成されており、腰部を支持する第３部材６が５０乃至１３０Ｎと軟らかい素材で形成されているので、ベッド使用者の腰部は第３部材６で相対的に沈みやすく、大腿部を支持する補助材（第４部材５）は１５０乃至５００Ｎと硬い素材で形成されているので、ベッド使用者の大腿部は補助材（第４部材５）により支持されて、相対的に沈まない。このため、使用者の臀部（腰部）は、補助材（第４部材５）に係止されて、ベッド長手方向（足元方向）にずれることがない。また、カバー４０には滑り止め加工部４３が設けられているので、マットレス自体も、膝ボトム（脚部ボトム）との間に、大きな摩擦力が作用して、ベッド長手方向にずれが生じることはない。更に、ベッド使用者がマットレス上に座した場合、臀部が補助材（第４部材５）からの反力を受けて、骨盤が立った座位姿勢をとりやすくなる。
【００２３】
また、このカバー４０の下面に、硬い第４部材５に対応する部分、即ち、マットレス上に横臥したベッド使用者の大腿部に対応する部分に、滑り止め加工することにより、滑り止め部を設けることもできる。この滑り止め部の滑り止め加工は、平面状にゴム素材を被着することにより行うことができるが、この手段は、その他の種々の手段を講じることができる。この滑り止め部は、ベッド長手方向に１００ｍｍ以上の長さを有し、幅が１５０ｍｍ以上であることが好ましい。
【００２４】
マットレス本体１は、第１部材２が硬さが２００Ｎ以上のポリエステル硬綿で成形されており、この第１部材２が、ベッド長手方向の全域に配置されているが、ベッド上に横臥した使用者の腰部の部分は、第１部材２上に、硬さが５０乃至１３０Ｎの軟らかいウレタン製の第３部材６が配置されているので、ベッド使用者の背部及び脚部は、硬い素材に支持され、腰部は、柔らかい素材に支持されることになる。このため、本実施形態の下層マットレス部材１は、腰部が沈み込みやすく、背部及び脚部が沈み込みにくいという特性をもつものとなる。そして、このマットレス本体１の表裏を逆にした場合は、マットレスは、ベッド使用者の腰部が沈み込みにくく、背部及び脚部が沈み込みやすい特性をもつ。このように、マットレス本体１の表裏を選択するだけで、マットレス特性を変更することができる。
【００２５】
図５は、マットレス本体１と上層マットレス部材１０とを積層したマットレスの変形例を示す図である。図５に示すように、上層マットレス部材１０は、マットレス本体１の上に、分離可能に重ねられる。この上層マットレス部材１０はマットレス本体１と同様の平面形状（幅及び長さ）を有し、その中央部分の第５部材１１と、幅方向の両端部の第６部材１３とから構成される。第５部材１１は、例えば、硬さが５０乃至１３０Ｎ（４０％圧縮）のウレタン製であり、第６部材１３は、例えば、同じくウレタン製であるが、硬さが１５０乃至５００Ｎ（４０％圧縮）と、中央部の第５部材１１より硬くなっている。また、端部の第６部材１３の表面は、粗面化処理１２が施されている。
【００２６】
この場合、上層マットレス部材１０とマットレス本体１は、重ねられた状態で、カバー４０内に収納される。上層マットレス１０は、例えば、その下面の一部に面ファスナーを接合しておき、マットレス本体１の上面の素材として、面ファスナーの機能をもつものを使用すると、上層マットレス部材１０とマットレス本体１とを、この面ファスナー同士で、分離可能に係止し、相互に固定することができる。このマットレス本体１の面ファスナーの機能をもつものとして、マットレス本体１の第３部材６を、例えば、膜なしウレタンで形成することができる。この膜なしウレタンは、洗浄時の流水性及び乾燥時の通気性を良くするために、通常のウレタンフォームの組織にある小さな膜を飛ばし、骨格のみ残したウレタンのことをいう。これにより、第３部材６は、その上面が面ファスナーとしての機能をもち、上層マットレス部材１０の下面の面ファスナーとの間で、上層マットレス部材１０とマットレス本体１とを相互に係止することができる。
【００２７】
このマットレスの場合も、図２及び図３に示すマットレスと同様の効果を奏する。即ち、マットレス上のベッド使用者の身体の下面とマットレス上面との間の位置変動は小さく、身体の皮膚に剪断力が生じることはない。また、カバー４０は、背上げ時に、下半部４０ｂが十分な長さをもって伸張するので、カバー４０がマットレス本体１を長手方向に拘束してしまい、マットレス本体１の屈曲を阻害してしまうことが防止される。更に、補助材（第４部材５）により、ベッド使用者のずれを防止することができる。
【００２８】
しかし、このマットレス本体においては、更に、上層マットレス部材１０により、マットレスの硬さを種々調整でき、寝心地を改善できるという効果を奏する。即ち、このマットレスの場合は、ベッドの幅方向の端部に患者が座して、ベッドから離床しようとする端座位の姿勢をとったときに、上層マットレス部材１０の端部の第６部材１３の硬度が中央部よりも硬いので、患者はベッドから離床しやすい。そして、マットレス本体１の上に配置される上層マットレス部材１０は、その幅方向中央部の部分が、長手方向の全域にわたって、硬さが５０乃至１３０Ｎの軟らかいウレタン製の第５部材１１で占められているので、マットレス本体１による支持の相対的な硬軟の関係は、変化しない。つまり、マットレス本体１上に上層マットレス部材１０が重ねられたマットレスとして、ベッド使用者の背部及び脚部は、比較的硬い素材に支持され、腰部は、比較的軟らかい素材に支持される。
【００２９】
このように、ベッド使用者（患者）がベッド上に横臥した場合、その腰部（臀部）は、最下層に硬さが２００Ｎ以上の硬い第１部材２をおいて、その上に、硬さが５０乃至１３０Ｎの第５部材１１と硬さが５０乃至１３０Ｎの第３部材６の積層体が配置されたものの上に位置するので、実質的に硬さが５０乃至１３０Nのウレタンにより支持される。また、患者の背部は、硬さが５０乃至１３０Ｎの第２部材３を最下層において、硬さが２００Ｎ（４０％圧縮）以上の硬いポリエステル硬綿からなる第１部材２と、硬さが５０乃至１３０Nの第５部材１１との積層体が配置されたものの上に位置しているので、硬い第１部材２の影響が強く、腰部（臀部）よりも硬い部材に支持されることになる。脚部は背部と同様の硬さの部分に支持される。更に、患者の大腿部は、硬さが１５０乃至５００Ｎの第４部材５と、ポリエステル硬綿からなる第１部材２と、硬さが５０乃至１３０Nの第５部材１１との積層体の上に位置しているので、腰部はもとより、背部及び脚部よりも硬い部材に支持されることになる。このように、臀部が最も軟らかい部材（硬さ５０乃至１３０N）に支持され、背部及び脚部が臀部の部材より硬い部材に支持され、大腿部が背部及び脚部の部材より硬い部材に支持されることになる。このため、このマットレスは、患者が寝返りをしやすいと共に、患者の臀部は硬さが５０乃至１３０Ｎの部材に支持されるので、体圧分散性が優れていて、寝心地と体圧分散性との双方が優れたバランスが良いものとなる。しかも、前述のごとく、患者はベッドから離床しやすい。従って、マットレス本体１と上層マットレス部材１０との組み合わせは、寝心地と体圧分散性が優れ、端座位が安定するという機能をもつスタンダードタイプのマットレスとなる。
【００３０】
図６は別の上層マットレス部材２０を示す。この上層マットレス部材２０は、ベッド幅方向に中央にてベッド長手方向に並置された２個の第７部材２１及び第８部材２２を有する。この第８部材２２は、均一な厚さの部分と、厚さが徐々に小さくなって、その上面が傾斜した傾斜面２３である部分とが、ベッドの長手方向に連なっている。そして、第７部材２１及び第８部材２２の平坦な表面上に、第９部材２４及び第１０部材２５が配置されており、第８部材２２の傾斜面２３上に、第１１部材２６が配置されている。これらの第９部材２４，第１０部材２５及び第１１部材２６は均一な厚さを有する。ベッド幅方向におけるこれらの第７部材２１及び第８部材２２の両側方には、ベッド長手方向の全長に延びる第１２部材２７が配置されており、この第１２部材２７の上には、ベッド長手方向に延びる第１３部材２８が配置されている。これらの第７部材２１〜第１３部材２８は、相互に接合されて、一体的に構成されている。第７部材２１は、例えば、硬さが５０乃至１３０Ｎ（４０％圧縮）のウレタン製であり、第８部材２２は、例えば、硬さが１５０乃至５００Ｎ（４０％圧縮）のウレタンであり、第９部材２４，第１０部材２５及び第１１部材２６は、例えば、硬さが５０乃至１３０Ｎ（４０％圧縮）のウレタン製である。そして、第１２部材２７は、例えば、硬さが２００Ｎ（４０％圧縮）以上のポリエステル硬綿製であり、第１３部材２８は、例えば、硬さが５０乃至１３０Ｎ（４０％圧縮）のウレタン製である。この上層マットレス部材２０は２層構造であり、マットレス上の位置における硬さをより任意に且つ広範に調整することができる。
【００３１】
なお、マットレス本体１は、それだけで、ベッド上のマットレスとして必要な機能をもつ。従って、マットレス本体１は、種々の患者等にとって、共通に必要な機能を備えており、最低限の寝心地を有していて、それだけでも、患者が横臥するマットレスとしての機能を有する。マットレス本体１は、前述のごとく、その上に横臥した患者は、動きやすいと共に、臀部の体圧分散性がすぐれている。図２及び図３に示すマットレス本体１は、例えば、厚さが７ｃｍであり、薄型タイプのマットレスといえる。図５に示すマットレス本体１と上層マットレス部材１０との組み合わせのスタンダードタイプのプラットホーム化マットレスは、上層マットレス部材１０の厚さが例えば９ｃｍであり、図６に示すマットレス本体１と上層マットレス部材２０との組み合わせの床ずれ防止タイプのプラットホーム化マットレスは、上層マットレス部材２０の厚さが例えば１２．５ｃｍである。このように、上層マットレス部材の厚さが異なるので、カバー４０は、各厚さに対応したものを用意することが好ましい。即ち、患者等のベッド使用者の特性に応じて付加すべき機能、即ち、個々のベッド使用者にとって必要な機能は、上層マットレス部材がもつが、マットレス全体の厚さは、この上層マットレス部材の厚さにより変化するので、それに応じて適切なカバーを用意することが好ましい。
【００３２】
図６に示すように、上層マットレス部材１０の代わりに、上層マットレス部材２０をマットレス本体１と組み合わせて使用した場合には、硬さが５０乃至１３０Ｎの第７部材２１と硬さが１５０乃至５００Ｎの第８部材２２とがベッド長手方向に配置されており、硬さが１５０乃至５００Ｎの第８部材２２は、傾斜面２３の部分で厚さがベッド長手方向に徐々に減少しているので、硬さも同様に徐々に低下している。よって、上層マットレス部材２０の場合は、ベッド長手方向に硬さが変化する。即ち、ベッド使用者は、背部が軟らかい第７部材２１により支持され、臀部が比較的硬い第８部材２２により支持され、第８部材２２の硬さは、足部側になるにつれて低くなっている。そして、上層マットレス部材２０は２層構造でその上層には、軟らかい第９部材２４，第１０部材２５及び第１１部材２６が配置されているので、ベッド使用者の感触が心地よいものとなっている。また、臀部の第８部材２２の硬さが比較的硬いので、人体の中で比較的重い臀部が上層マットレス部材２０内で沈み込んだ場合でも、この臀部が下層マットレス部材１まで到達する所謂底付きが生じることが防止される。また、上層マットレス部材２０の場合も、ベッドの端座位の位置では硬さが高いので、端座位が安定し、例えば、リハビリテーション中の患者が端座位で立ち上がりやすくなる。但し、上層マットレス部材１０と異なり、上層マットレス部材２０の場合は、端座位が２層構造になっており、下層の第１２部材２７は硬さが２００Ｎ以上と硬いが、その上層の第１３部材２８は硬さが５０乃至１３０Ｎと軟らかくなっているので、ベッド使用者の触感が心地よいものとなっている。
【００３３】
更に、上層マットレス部材２０の場合は、前述の如く、端座位が安定すると共に、仰臥位及び側臥位のいずれの場合も、また３０°以下の背上げ時においても、優れた体圧分散性が得られる。上層マットレス部材２０は、２層構造であり、例えば厚さが１２．５ｃｍと、単層構造の上層マットレス部材１０（例えば，厚さが９ｃｍ）よりも３．５ｃｍ厚いため、ベッド使用者との接触面積が上層マットレス部材１０よりも増大している。よって、この上層マットレス部材２０とマットレス本体１とを組み合わせたマットレスの場合は、体圧分散性が極めて優れており、床ずれ防止に極めて有効である。即ち、このマットレスは、仰臥位、側臥位、及び背上げ時の体圧分散性が優れているという機能をもつ床ずれ防止タイプのマットレスとなる。なお、上層マットレス部材を、より軟らかく、厚さをより厚くすると、患者の身体との接触面積がより増大し、体圧分散性がより優れたものとなり、褥瘡の予防に有効なマットレスを組み立てることができる。
【００３４】
上述のごとく、ベッド使用者の固有の特性に応じて、必要となる機能をもつ上層マットレス部材を選択し、これを共通に使用する１個のマットレス本体１と組み合わせて、所望の特性をもつマットレスを得ることができる。一般的な患者の場合は、上層マットレス部材１０を使用し、床ずれが著しい患者の場合は、上層マットレス部材２０を使用する。マットレス本体１は、全ての患者に共通に使用する。このため、本実施形態においては、患者の固有の特性に応じて必要な機能を、上層マットレス部材を交換するだけで得ることができるので、その機能をもつ専用のマットレスを用意しておく必要がなく、病院及び介護施設においては、設備コストを低減できる。在宅介護の場合も、被介護者は、月単位又は年単位で、その容体が変化する。当初は、褥瘡がなかった被介護者が、年月の経過と共に、褥瘡が酷くなる場合があるが、このように容体が変化した場合も、上層マットレス部材を交換するだけで、その時に最適な特性のマットレスを得ることができる。よって、介護に必要な費用を節約することができる。このように、本実施形態においては、患者に必要な特有の機能を、上層マットレス部材のみを、適切なものに変更することにより、ベッド使用者固有の特性に応じた機能を付加することができるので、ベッド使用者にとって最適の機能をもつマットレスを容易に且つ低コストで得ることができ、このカスタマイズのための費用を著しく低減することができる。
【産業上の利用可能性】
【００３５】
本発明においては、ギャッチベッドの背上げ時に、カバーがマットレス本体の屈曲性を阻害してしまうことがなく、マットレス上に横臥するベッド使用者に対し、その身体に不快な応力を印加してしまうことがない。よって、本発明は、ギャッチベッドの好適な使用に多大の貢献をなす。
【符号の説明】
【００３６】
１：マットレス本体
２：第１部材
３、４：第２部材
５：第４部材
６：第３部材
１０、２０：上層マットレス部材
１１：第５部材
１３：第６部材
２１：第７部材
２２：第８部材
２４：第９部材
２５：第１０部材
２６：第１１部材
２７：第１２部材
２８：第１３部材
４０：カバー
４０ａ：上半部
４０ｂ：下半部
５０：伸張部
５０ａ：屈曲部
５０ｂ：長寸部
【図１】
2014212850.tif 000003
【図２】
2014212850.tif 000004
【図３】
2014212850.tif 000005
【図４】
2014212850.tif 000006
【図５】
2014212850.tif 000007
【図６】
2014212850.tif 000008